(57)【要約】【課題】光ディスクローダー装置の提供。【解決手段】一種の光ディスクローダー装置であり、一つの光ディスクを載せるローダーを包含する。ローダーを光ディスクドライブ本体内に設け、本体内に設置した駆動装置によって直線に移動できるような仕組みになっている。上述したローダーの外側にオープン式のブラケットを設けて、光ディスクをローダーの移動方向と平行してブラケットの中に入れることができる。ブラケットの反対側両側側壁に弾力性位置決め具を設け、二つ弾力性位置決め具の間の最小距離を光ディスクの直径より小さくする。また、光ディスク全体をブラケットの中に入れてから、弾力性位置決め具の位置はディスクの円心よりブラケットの開け口に近い。即ち、光ディスクの外側に近い半円の円周以内に弾力性位置決め具を設け、ローダーを本体の奥へ移動するとき、弾力性位置決め具によって光ディスクを押して、ローダーと一緒に本体の奥の方へ移動する。【選択図】図１
0003119982.tif 000002
【実用新案登録請求の範囲】
【請求項１】
一種の光ディスクローダー装置であり、一つの光ディスクを載せるローダーを包含する。ローダーは光ディスクドライブ本体内に設けられ、本体に設置した駆動装置によって本体内部を直線に移動させることができる。そのうち、該ローダーの外側にオープン式のブラケットを具え、光ディスクはローダーの移動方向と平行してブラケットの中に入れることができる。ブラケットが対面している両側側壁に弾力性位置決め具を設け、該二つ弾力性位置決め具の間の最小距離はディスクの直径より小さくし、且つ、該両側弾力性位置決め具の位置は、光ディスクを全体完全にブラケットの中に入れたのち、弾力性位置決め具の位置を光ディスクの円心よりブラケットの開け口に近いようすることを特徴とする光ディスクローダー装置。
【請求項２】
請求項１記載の光ディスクローダー装置において、そのうち、該ブラケットはローダー外側にＵ字形のくぼみを形成することを特徴とする光ディスクローダー装置。
【請求項３】
請求項１記載の光ディスクローダー装置において、そのうち、該弾力性位置決め具は、ブラケットが対面している両側側壁に嵌着するゴム材料であることを特徴とする光ディスクローダー装置。
【請求項４】
請求項３記載の光ディスクローダー装置において、そのうち、該ゴム材料の表面が球面であることを特徴とする光ディスクローダー装置。
【請求項５】
請求項３記載の光ディスクローダー装置において、そのうち、該ゴム材料の表面は円柱体であることを特徴とする光ディスクローダー装置。
【請求項６】
請求項１記載の光ディスクローダー装置において、該弾力性位置決め具は、丸い玉とスプリングを包含し、ブラケットが対面している両側側壁に穴を設け、スプリングと玉は順番により、その穴に組み込み、玉を穴からむき出される状態であることを特徴とする光ディスクローダー装置。
【考案の詳細な説明】
【技術分野】
【０００１】
本考案は光ディスクドライブの構造に関するものであり、特に吸引式光ディスクドライブに対してディザインした光ディスクローダー装置である。
【背景技術】
【０００２】
目下、光ディスクドライブは二つの形式があり、ひとつは引き出し式、もうひとつは吸引式である。
【０００３】
引き出し式光ディスクドライブは、本体内に一つの光ディスクローダーを設け、操作によって本体より滑り出すことができる。使用者が光ディスクをローダーに載せ、ボタンでコントロールするか、又は直接ローダーを押すかにより、ローダーを本体内へ滑らせる。更に本体内に設置した押し上げ装置によって、ディスクをローダーから引き離して、並びにディスクを駆動して回転させる。続いて読み書き装置によって、データをディスクに書き込んだり、読み取ったりする。この引き出し式光ディスクドライブの機械構造はよりシンプルであり、製造コストは低く、値段もより安くなる。しかし、ローダーを本体から滑り出すと懸腕状態になってしまい、外力に弱く、使用者がもし不注意でローダーをぶつかったりすると折れやすいのはその欠点である。
【０００４】
吸引式光ディスクドライブは、ローダーなしにディザインしたため、主な構造は本体内に設置した複雑な機械構造によって、ディスクを本体の挿入口に入れると感知器でディスクを感知し、複雑な連動機械構造を作動して、ディスクを拾って、本体内の固定位置へ送る。続いて押し上げ装置によってディスクを押し上げて回す。読み書き装置によってデータを書き込んだり、読み取ったりする。このローダーなしの吸引式光ディスクドライブはローダーを折れやすい問題がないとは言え、機械構造はかなり複雑で、製造コストが高く、値段もより高いのはその欠点である。
【０００５】
前述した引き出し式光ディスクドライブの構造はよりシンプルで、製造コストがより低くなるが、外に露出したディスクローダーを外力によって折れやすい。従来の吸引式光ディスクドライブは光ディスクローダーなしで、ぶつかりによって折れることがないとは言え、その機械構造はかなり複雑で製造コスチが高い欠点を持っている。本件の考案者は別案で出願したのは、従来の引き出し式光ディスクドライブの機械構造を改良した吸引式光ディスクドライブである。従来の引き出し式光ディスクドライブの構造を過剰な改造をしない前提で、吸引式光ディスクドライブの機能を達し、全体的に製造コストを低くすることができるのである。
【０００６】
上述した別案のパテント出願における吸引式光ディスクドライブの主な特徴は、従来の引き出し式光ディスクドライブのローダーの長さを短くして、ローダーがディスクを載せた状態で本体から露出しないようにした。ただし、内蔵したローダーにディスクを載せるため、もう一歩進んで考案したのは、ローダーにクランプを組み込んで、ディスクを本体内に挿入すると、クランプに挟まられ、駆動装置によりローダーとディスクを一緒に本体内へ送り込む。また、止め具でディスクを固定して、駆動装置によってローダーを本体の奥へ続けて移動させる。ディスクがローダーから引き離されると、押し上げ装置によりディスクを押し上げて回転させ、本体内に設置した読み書き装置によって、データをディスクに読み取ったり、書き込んだりする。
【考案の開示】
【考案が解決しようとする課題】
【０００７】
前述した別出願にはクランプを使ってディスクを挟んで引く方法で、ディスクとローダーを一緒に本体内へ送り込んで、データを読み書きする。本考案は押す方法でディスクとローダーを一緒に本体内へ送り込むディザインを提案しているのである。
【０００８】
本考案の主な特徴は、ローダーの外側にオープン式のブラケットを設け、ディスクをローダーの移動方向と平行してブラケットにおくことができる。ブラケットが対面している両側側壁に弾力性位置決め具を設け、二つ弾力性位置決め具の間の最小距離はディスクの直径より小さくする。また、ディスク全体をブラケットに入れると、弾力性位置決め具の位置はディスクの円心よりブラケットの開け口の方に近い。駆動装置の伝動でローダーを本体の奥へ移動するとき、弾力性位置決め具でディスクを押して、ローダーと一緒に本体の奥へ送る。
【０００９】
本考案に使われているディスクを押す弾力性位置決め具は、弾力性のある材料である。例えばゴム、プラスチック……などでもよいが、また、丸い玉とスプリングと合わせてブラケット両側の側壁にくぼんだ穴の中に取り付けてもよい。スプリングの弾力性を利用して玉を側壁からむき出すようにしておく。ディスクを通過するとき、二つの玉とディスクの直径との垂直向きを利用して持つ作用を発揮する。ディスクとローダーを一緒に本体内へ送り込むようにディザインしている。
【００１０】
前述した本考案の構造によって、ローダーが往復移動するとき、両端の極限位置は本体の範囲内に設定され、また、ローダーに弾力性位置決め具を設けるため、ディスクを光ディスクドライブに差し込むと、すぐ弾力性位置決め具でディスクの直径との垂直方向で持つようになって、ローダーに載せたまま本体の奥へ送り込んで、データを読み書きする。全体的に既知の吸引式光ディスクドライブの効果を備えることになる。
【課題を解決するための手段】
【００１１】
請求項１の考案は、一種の光ディスクローダー装置であり、一つの光ディスクを載せるローダーを包含する。ローダーは光ディスクドライブ本体内に設けられ、本体に設置した駆動装置によって本体内部を直線に移動させることができる。そのうち、該ローダーの外側にオープン式のブラケットを具え、光ディスクはローダーの移動方向と平行してブラケットの中に入れることができる。ブラケットが対面している両側側壁に弾力性位置決め具を設け、該二つ弾力性位置決め具の間の最小距離はディスクの直径より小さくし、且つ、該両側弾力性位置決め具の位置は、光ディスクを全体完全にブラケットの中に入れたのち、弾力性位置決め具の位置を光ディスクの円心よりブラケットの開け口に近いようすることを特徴とする光ディスクローダー装置としている。
請求項２の考案は、請求項１記載の光ディスクローダー装置において、そのうち、該ブラケットはローダー外側にＵ字形のくぼみを形成することを特徴とする光ディスクローダー装置としている。
請求項３の考案は、請求項１記載の光ディスクローダー装置において、そのうち、該弾力性位置決め具は、ブラケットが対面している両側側壁に嵌着するゴム材料であることを特徴とする光ディスクローダー装置としている。
請求項４の考案は、請求項３記載の光ディスクローダー装置において、そのうち、該ゴム材料の表面が球面であることを特徴とする光ディスクローダー装置としている。
請求項５の考案は、請求項３記載の光ディスクローダー装置において、そのうち、該ゴム材料の表面は円柱体であることを特徴とする光ディスクローダー装置としている。
請求項６の考案は、請求項１記載の光ディスクローダー装置において、該弾力性位置決め具は、丸い玉とスプリングを包含し、ブラケットが対面している両側側壁に穴を設け、スプリングと玉は順番により、その穴に組み込み、玉を穴からむき出される状態であることを特徴とする光ディスクローダー装置としている。
【考案の効果】
【００１２】
本考案の構造によって、ローダーが往復移動するとき、両端の極限位置は本体の範囲内に設定され、また、ローダーに弾力性位置決め具を設けるため、ディスクを光ディスクドライブに差し込むと、すぐ弾力性位置決め具でディスクの直径との垂直方向で持つようになって、ローダーに載せたまま本体の奥へ送り込んで、データを読み書きする。全体的に既知の吸引式光ディスクドライブの効果を備えていることになる。
【考案を実施するための最良の形態】
【００１３】
光ディスクドライブ技術に詳しい業界ベテランの方々がこの説明書を判読してから実施できるようにするため、以下図式及びパーツ名と合わせて本考案を詳しく説明する。
【００１４】
まず、図１に示すのは本考案が提案している光ディスクローダー装置であり、本体1の上に設けるローダー２を包含する。該ローダー２は本体1の上とローダー2の下に設置した駆動装置（図の中に示していない）により駆動され、ローダー２を本体内部の範囲内に直線に移動することができる。
【００１５】
上述したローダー2は本体１のディスク挿入口１０の一端に向けてブラケット２１を設ける。ブラケットのよりよい形はU字形のくぼみにするのである。また、Ｕ字形の開け口は本体の挿入口１０の方に向け、ディスク３をローダー２の移動方向と平行してブラケット21の中に入れることができる（図２示すように）。そのＵ字形の底端はほぼディスク３の外縁の曲線に合わせて設け、ディスク３をブラケット２１に入れると、ブラケットの底端とディスクをぴったり合うようにするためである。もちろん、上述したブラケット２１は逆Ｕの形にしたり、それともほかに何か可能な形にしたりしてもよいが、少なくともブラケットの一端にディスクを入れられる開け口があればよいのである。
【００１６】
ブラケット21の反対側両側の側壁に弾力性位置決め具22を設け、また、二つ弾力性位置決め具の間の最小距離はディスク３の直径より小さい。ディスク３全体をブラケット２１に入れると、弾力性位置決め具２２の位置はディスク３の円心よりブラケット２１のディスク挿入口に近い。すなわち、弾力性位置決め具２２とディスク３の円心との間に距離Ｄが存在する。
【００１７】
本考案に述べた弾力性位置決め具２２は、ブラケット２１の反対側両側壁に嵌着する弾力性材料２２１（例えばゴム、プラスチック…….など）もよいが、その表面は球面にするのは一番よい。或いは、円柱体の形にしている弾力性材料を使ってもよい。図４にご参照してください。上述した弾力性位置決め具は、玉２２２とスプリング２２３を包含してもよい。並びにブラケットの反対側両側の側壁に穴を設け、スプリング２２３と玉２２２を順番により取り付けて、玉２２２を適切に穴からむき出す状態にして、二つ玉２２２の間の距離をディスクの直径より小さくする。
【００１８】
本考案の操作方式は図３に示すように、使用者がディスク３を光ディスクドライブに入れるとき、ボタンを押すと、ローダー２は本体１の挿入口１０に近い位置へ移動する。使用者はディスク３を挿入口１０からローダー２のブラケット２１に差し込むことができる。ディスク３の直径は二つ弾力性位置決め具間の距離Ｌより大きいが、弾力性位置決め具は弾力性があるので、使用者はディスク３にちょっとだけの力で押すと、ディスク３の直径を弾力性位置決め具２２に通過できる。一旦ディスク３の円心が弾力性位置決め具２２に通過して、ディスク全体をブラケット２１に入ると、弾力性位置決め具２２とディスク３の円心の間に距離Ｄが現れる。弾力性位置決め具２２はディスク３の辺縁に支え作用を発揮する。使用者はまたボタンを押したり、ちょっとディスク３を押したりして、ローダー２も一緒にちょっと移動すると、本体内の感知器（図の中に示していない）でローダーの移動を感知して駆動装置が作動し、ローダー２を本体１の奥の方へ移動させる。同時に弾力性位置決め具２２により、ディスク３の両側からディスクを押してローダー２と一緒に本体の奥の方へ移動する。ディスク３が所定の位置に入ると、ローダー２はディスク３と引き離され、再び本体内に設置した押し上げ装置でディスクを押して位置決めし、ディスクを回転させる。読み書き装置によって、ディスクにデータを読み取ったり、書き込んだりする。前述した駆動装置、押し上げ装置または読み書き装置は本創作の申し立てるポイントではないため、説明を省略させて、図面にも示していない。
【００１９】
以上述べたのは本考案に解説するため、よりよい実施例だけを用い、本考案にあらゆる形式上の制限を企てることがない。即ち、本考案は図示した実施例に限ることなく、同じ創作概念による等価変更も、本考案の範疇に含まれるものとする。
【図面の簡単な説明】
【００２０】
【図１】本考案の光ディスクドライブの構造を上から見る平面を示す説明図である。
【図２】ディスクを本考案のローダーのブラケットに挿入したとき上から見る平面を示す説明図である。
【図３】本考案のローダーを本体の奥へ移動するとき、弾力性定位具を利用してディスクを本体の奥へ押し込んだ平面を示す説明図である。
【図４】本考案のブラケットの側壁に組み込んだ弾力性定位具のもうひとつの実施例を示す説明図である。
【符号の説明】
【００２１】
１  光ディスクドライブ本体（本体と略称する）
１０  挿入口
２  ローダー
２１  ブラケット
２２  弾力性位置決め具
２２１  弾力性材料
２２２  （丸い）玉
２２３  スプリング
３  ディスク
【図１】
0003119982.tif 000003
【図２】
0003119982.tif 000004
【図３】
0003119982.tif 000005
【図４】
0003119982.tif 000006
【手続補正書】
【提出日】平成18年1月13日(2006.1.13)
【手続補正１】
【補正対象書類名】実用新案登録請求の範囲
【補正対象項目名】請求項１
【補正方法】変更
【補正の内容】
【請求項１】
一種の光ディスクローダー装置であり、一つの光ディスクを載せるローダーを包含し、ローダーは光ディスクドライブ本体内に設けられ、本体に設置した駆動装置によって本体内部を直線に移動させることができ、そのうち、該ローダーの外側にオープン式のブラケットを具え、光ディスクはローダーの移動方向と平行してブラケットの中に入れることができ、ブラケットが対面している両側側壁に弾力性位置決め具を設け、該二つ弾力性位置決め具の間の最小距離はディスクの直径より小さくし、且つ、該両側弾力性位置決め具の位置は、光ディスクを全体完全にブラケットの中に入れたのち、弾力性位置決め具の位置を光ディスクの円心よりブラケットの開け口に近いようすることを特徴とする光ディスクローダー装置。